(57)【要約】【課題】治癒を早める、きれいに治す、痛みを和らげる、化膿の緩和、欝血の緩和などの観点においてより効果的な絆創膏を提供する。【解決手段】本発明の絆創膏は、上面に粘着層を有する基材、パッド部材及び剥離紙を有しパッド部材は、粘着層の中央部分に貼着されており、剥離紙は、パッド部材が貼着されていない粘着層の部分の上面に貼着されている。この絆創膏において、基材は、９００℃以上の高温で燃焼された籾殻から抽出された粉末状の植物性シリカが、含有、含浸、付着などされている。【選択図】なし【特許請求の範囲】
【請求項１】
上面に粘着層を有する基材を有する絆創膏であって、
前記基材は、９００℃以上の高温で燃焼された籾殻から抽出された植物性シリカが、含有、含浸または付着されていることを特徴とする絆創膏。
【請求項２】
前記粘着層の中央部分に貼着されたパッド部材と、前記パッド部材が貼着されていない前記粘着層の部分の上面に貼着されている剥離紙と、を有することを特徴とする請求項１に記載の絆創膏。
【請求項３】
前記パッド部材は、前記植物性シリカが、含有、含浸または付着されていることを特徴とする請求項２に記載の絆創膏。
【請求項４】
前記高温は、略９００℃、略１０００℃、略１１００℃、略１２００℃または略１３００℃であることを特徴とする請求項１から請求項３のいずれかに記載の絆創膏。
【請求項５】
前記パッド部材には、薬剤が含まれていないことを特徴とする請求項２から請求項４のいずれかに記載の絆創膏。
【請求項６】
前記パッド部材には、殺菌消毒薬が含まれていることを特徴とする請求項２から請求項４のいずれかに記載の絆創膏。
【請求項７】
前記植物性シリカは、植物性ブラックシリカまたは植物性ブラックケイ素であることを特徴とする請求項１から請求項６のいずれかに記載の絆創膏。
【発明の詳細な説明】
【技術分野】
【０００１】
本発明は、絆創膏に関する。
【背景技術】
【０００２】
絆創膏は、傷口や患部の手当てに用いられる衛生材料の一種であり、テープ絆創膏、救急絆創膏、水絆創膏などの種類がある。テープ絆創膏は、サージカルテープ、粘着包帯、伸縮性粘着包帯などがあり、救急絆創膏は、粘着部を有し、この粘着部のシートの中央部に不織布製のパッドが取り付けられたもので創傷面の保護などに用いられるものであり、傷口を清潔にした状態にし、剥離紙をはがしてパッド部分を創傷面に貼りつけて細菌の侵入を予防するというものである。
【０００３】
上記の救急絆創膏は、医薬品、医薬部外品、医療機器の種類に区分されており、例えば、パッド部分にアクリノール、塩化ベンザルコニウムなどの殺菌消毒薬を含み殺菌消毒効果を有しているものが医薬品、医薬部外品であり、また、パッド部分に薬剤を含んでいないものが医療機器となっている。
【０００４】
救急絆創膏は、一例として、基材フィルムを有し、この基材フィルムの片面に積層された粘着剤層と、粘着剤層を介して基材フィルムの長手方向中央部分などの所定部位に配置し粘着されたガーゼ、不織布などからなるパッドを有し、粘着剤層を介して基材フィルム上に容易に剥離することができる剥離紙が、パッドを覆うように積層されている。
【０００５】
また、絆創膏は、テープ状柔軟支持体に消毒ガーゼや消毒不織布を取付けた絆創膏は主として損傷部の保護のために用いられているが、絆創膏自体が皮膚損傷部の治癒を促進する作用が低いことに対して皮膚損傷部を保護すると共に傷を治癒する創傷治療用絆創膏が開示されている。
【先行技術文献】
【特許文献】
【０００６】
【特許文献１】特開２００５−１５２０７０号公報
【発明の概要】
【発明が解決しようとする課題】
【０００７】
上記の絆創膏において、治癒を早める、きれいに治す、痛みを和らげる、化膿の緩和、欝血の緩和などの観点において、より効果的なものが求められていた。
【０００８】
本発明は、こうした点に鑑みてなされたものであり、治癒を早める、きれいに治す、痛みを和らげる、化膿の緩和、欝血の緩和などの観点において、より効果的な絆創膏を提供することである。
【課題を解決するための手段】
【０００９】
上記課題を解決するために、本発明に係る絆創膏は、上面に粘着層を有する基材を有する絆創膏であって、前記基材は、９００℃以上の高温で燃焼された籾殻から抽出された植物性シリカが、含有、含浸または付着されていることを特徴とする。また、本発明に係る絆創膏の態様について、前記粘着層の中央部分に貼着されたパッド部材と、前記パッド部材が貼着されていない前記粘着層の部分の上面に貼着されている剥離紙と、を有することが好ましい。
【００１０】
本発明に係る絆創膏の態様について、前記パッド部材は、前記植物性シリカが、含有、含浸または付着されていることが好ましく、また、前記パッド部材には、薬剤が含まれていない構成または殺菌消毒薬が含まれている構成がある。
【００１１】
本発明に係る絆創膏の態様について、前記高温は、略９００℃、略１０００℃、略１１００℃、略１２００℃または略１３００℃であることが好ましい。また、本発明に係る絆創膏の態様について、前記植物性シリカは、植物性ブラックシリカまたは植物性ブラックケイ素であることが好ましい。
【発明の効果】
【００１２】
本発明によれば、治癒を早める、きれいに治す、痛みを和らげる，化膿の緩和、欝血の緩和など観点において、より効果的な絆創膏を提供することができる。
【発明を実施するための形態】
【００１３】
以下、本発明の絆創膏の実施形態について説明する。
【００１４】
まず、本発明に用いる９００℃を超える高温で燃焼された籾殻から抽出された植物性シリカについて説明する。一般的に、籾殻を燃焼させることで植物性ケイ素を製造することができるが、従来、燃焼温度が略７００℃で行われており、この方法では、炭素との混合体が生成されてしまい、抽出された植物性シリカの純度が低く、つまり植物性ケイ素の純度が低いものとなり、品質が悪く利用価値がないという問題があった。
【００１５】
そこで、籾殻を、例えば、９００℃以上の高温で燃焼させると、籾殻が完全燃焼し、籾殻に含まれる植物性ケイ素がアモルファス形状または多結晶となり、この結果、植物性シリカとなり、この植物性シリカを連続的に生成することができ、高品質な植物性シリカを大量に効率的に製造することが可能であることが分かった。
【００１６】
そして、このような方法で籾殻の燃焼状態及び燃焼温度を安定化させ、高品質な植物性シリカを大量に効率的に製造することも可能になっている。本発明は、籾殻を９００℃以上の高温で燃焼させることで製造された植物性シリカに着目し、これを用いた製品の開発を行っている。
【００１７】
上記の燃焼温度は一例であり、このような特性を有する植物性シリカは、燃焼の温度を限定せずに、適宜最適な燃焼温度で籾殻を燃焼させて製造してもよい。また、この例では、植物性シリカを製造する原料として籾殻を用いているが、これは一例であり、籾殻以外の最適な原料を適宜用いて本発明に用いる植物性シリカを製造してもよい。
【００１８】
本発明は、上記のとおり、籾殻を、例えば、９００℃以上の高温で燃焼させることで製造された植物性シリカに着目し、この植物性シリカを用いた絆創膏を具現化したものである。なお、籾殻の燃焼温度を９００℃以上としているが、純度のよいものを抽出するための高温であり、これに限定されず、適宜最適な燃焼温度、１０００℃以上、１１００℃以上、１２００℃以上、１３００℃以上などに設定するとよく、例えば、略９００℃、略１０００℃、略１１００℃、略１２００℃、略１３００℃などに設定してもよい。
【００１９】
なお、本発明に用いる植物性シリカの製造方法の一例である植物性シリカの製造炉について、以下に概要を説明する。植物性シリカの製造炉は、粒子状または小片状の燃料としてシリカを含有する籾殻、竹チップその他の植物性、木質性バイオマスなどに用いられた炉である。この炉は、燃料が供給され燃料を燃焼させて高温ガスを生成する燃焼部と、燃料を定量供給するとともに燃料を燃焼用空気と共に燃焼部に送り出す燃料供給部とを備えている。燃焼部は、燃料の燃焼ガスの流通、循環の過程でガスに乱流を発生させるとともに乱流を安定化、促進化させる。燃焼部の一次燃焼部は、燃料及び燃焼用空気を導入するための前室の上方位置に配設された一次燃焼室と、前室と一次燃焼室の隣りに配設され上下方向の流路とされた連通路と、前室の上面に形成されており一次燃焼室に連通する第１開口と、連通路の下方寄りの側面に形成されており前室に連通する第２開口と、連通路の上方寄りの側面に形成され一次燃焼室に連通する第３開口と、第１開口を塞ぐように設けられた第１網部と、第１網部に間隔を開けて対向配置され一次燃焼室の途中部位を塞ぐように設けられた第２網部、鋼板部又は三角錐部と、一次燃焼室の上側位置に形成された一次高温ガス排出口と、前室と一次燃焼室の外側に配設された断熱部材を備えている。前室に燃焼用空気と共に送り込まれた燃料を一次燃焼室にて燃焼させる一方、燃焼により発生した燃焼ガスが前室、連通路、一次燃焼室へと順次的に流通して循環する過程で主として第１網部により乱流を発生させるとともに燃焼ガスが一次燃焼室内を上昇して流通する過程で主として第２網部等により乱流を安定化、促進化させる。燃焼部の二次燃焼部は、一次燃焼室の隣りに配設された二次燃焼室と、二次燃焼室内の上方位置に配設された上下方向の流路で一次高温ガス排出口に連通した高温ガス導入路と、二次燃焼室に形成された二次高温ガス排出口と、二次燃焼室内に互いの間隔を開けて複数配設され高温ガス導入路を通じて導入された高温ガスを循環させるとともに二次高温ガス排出口に向けて案内するためのガス案内部材とを備えている。ガス案内部材は、乱流を更に安定化又は促進化させるために高温ガスが二次燃焼室内を循環する過程において複数個所でその流れがランダムになるように各々配置されており、燃料の完全燃焼により植物性シリカを連続的に生成して二次燃焼室内の下部に溜めるようになっている。この植物性シリカは、発がん性のないものであり、人体にたいして安全に使用できるものと考えられており、籾殻の燃焼状態及び燃焼温度を安定化させ、高品質なものとして効率的に製造できるものである。
【００２０】
次に、本発明の絆創膏について説明する。本発明の一例としての実施形態である絆創膏は、上面に粘着層を有する基材を有しており、この基材は、９００℃以上の高温で燃焼された籾殻から抽出された植物性シリカが、含有、含浸または付着されているものである。上記の９００℃以上の高温は、略９００℃、略１０００℃、略１１００℃、略１２００℃略１３００℃であってもよく、適宜最適な高温を設定すればよい。なお、上記の絆創膏は、テープ絆創膏として用いてもよい。
【００２１】
また、本発明の絆創膏は、上記の粘着層を有する基材と、さらにパッド部材及び剥離紙を有する構成であってもよい。パッド部材は、粘着層の中央部分に貼着されており、剥離紙は、パッド部材が貼着されていない粘着層の部分の上面に貼着されており、貼着されていない部分で剥されるように形成されている。この絆創膏は、例えば、傷口を清潔にした状態で剥離紙をはがしてパッド部材を創傷面に貼りつけて細菌の侵入を予防するために使用されるものである。パッド部材は、不織布、織布または編布から形成されていることが望ましく、適宜最適なものを選択すればよい。なお、上記の絆創膏の構成は、一例でありこれに限定されず、例えば、剥離紙を有しないものであってもよい。また、上記の絆創膏は、救急絆創膏として用いてもよい。
【００２２】
本発明の絆創膏の特徴として、上記の基材は、９００℃以上の高温で燃焼された籾殻から抽出された植物性シリカが、含有、含浸、付着などされている。植物性シリカは、粉末状でもよく、また、この基材への含有などは、種々の方法があり適宜最適な方法を用いればよい。また、パッド部材においても、植物性シリカが、含有、含浸または付着されている構成であってもよい。なお、植物性シリカは、純度のよいものを抽出するための高温であればよく、籾殻の燃料温度を９００℃以上としているが、これに限定されず、例えば、籾殻の燃料温度を１０００℃以上、１１００℃以上、１２００℃以上、１３００℃以上などとしてもよく、適宜最適な燃焼温度に設定するとよい。また、上記の植物性シリカは、植物性ブラックシリカまたは植物性ブラックケイ素でもよく、粉末状にした植物性ブラックシリカまたは植物性ブラックケイ素を、本発明の絆創膏の基材に含有、含浸、付着などするとよく、必要に応じパッド部材にも粉末状にした植物性ブラックシリカまたは植物性ブラックケイ素を含有、含浸、付着などすればよい。
【００２３】
上記のパッド部材には、薬剤が含まれていない場合と、殺菌消毒薬が含まれている場合がある。薬剤が含まれていない場合は、一般的に、患部の保護を目的としており、また、一定濃度のアクリノール、塩化ベンザルコニウムなどの殺菌消毒薬が含まれている場合は、一般的に、患部の保護、治癒を目的としている。
【００２４】
また、絆創膏は、一般的に、患部に塗ることで被膜をつくる液状絆創膏などの水絆創膏、サージカルテープ、粘着包帯、伸縮性粘着包帯などのテープ絆創膏などの種類があるが、身近なものは救急絆創膏で身体の部位に用いる接着剤を付した布製又はプラスティック製等の各種形状の絆創膏材である。中にはパッドを付する製品もあり、救急絆創膏は医薬品医療機器等法によって医薬品、医薬部外品及び医療機器の３つの種類に区分されており、製品区分の違いは、主に成分、効能及び効果である。
【００２５】
本発明の絆創膏に用いる基材は、例えば、ウレタン不織布、塩化ビニル、伸縮性綿布、スポンジシート、ウレタンフィルム、オレフィンフィルムなどがあり、ウレタン不織布は、伸縮性が高く肌にピッタリとフィットするとともに、抜群の通気性も兼ね備えたウレタン不織布であり、塩化ビニルは、基材として古くから使われており、通気性が低いため、全面に穴が開けられたタイプであり、伸縮性綿布は、非常に丈夫な基材で伸縮性があり、関節部分に使用しても剥がれにくく、また耐水性も高く、水仕事の際に効果を発揮するものであり、スポンジシートは、１ｍｍ程度厚みのあるクッションタイプの基材で柔らかいスポンジが傷にかかる摩擦や衝撃を緩和することによりスポーツ、ハードワークなどの際の使用に向いているものであり、ウレタンフィルムは、抜群の防水性を確保した基材で空気や湿気を通しやすく傷口が蒸れにくく、患部への水の侵入も防ぐことができるものであり、及びオレフィンフィルムは、塩化ビニルに変わる基材として注目された素材であり、焼却時にダイオキシンの原因とされる塩素が発生しないものである。なお、基材は、上記の例に限定されず適宜最適なものを選択すればよい。
【００２６】
また、本発明の絆創膏に用いる粘着層の粘着剤は、例えば、アクリル系粘着剤、ゴム系粘着剤、シリコーン系粘着剤などがあり、アクリル系粘着剤は、主流となっている粘着剤で石油を原料とするアクリル樹脂を主成分としており、透明性、耐候性、耐熱性に優れているものであり、ゴム系粘着剤は、天然ゴムや合成ゴムを主成分とする粘着剤で、軟化剤や樹脂、充填剤を混ぜて使用し、低コスト、粘着特性が調整しやすいものであり、及びシリコーン系粘着剤は、耐熱性、耐寒性、耐候性、耐薬品性に優れた粘着剤で低アレルギー性をも実現しているものである。なお、粘着剤は、上記の例に限定されず適宜最適なものを選択すればよい。
【００２７】
上記のとおり、高純度の植物性シリカに着目して開発した本発明の絆創膏は、治癒を早める、きれいに治す、痛みを和らげる、化膿の緩和、欝血の緩和などの観点において優れたものである。また、本発明の絆創膏は、パット部材を有しないもの、パッド部材に薬剤を含まないもの、また、パッド部材に薬剤を含むものにかかわらず、保温、血流促進などの効果を利用した治療ができる優れたものとして用いることができ、例えば、２６．５℃以上であれば、植物性シリカの効果として約４℃の温度上昇が見込まれるので、顕著な保温効果を有しており、また、人の発する波動と同期する、つまり近似している周波数の波動がでることより、保温効果、血流促進効果、代謝促進効果などを有し、さらに、化膿止め、欝血抑制、殺菌などの優れた効果を有している。
【００２８】
以上、本発明の有する特徴及び優れた点を上記実施形態に記載したが、本発明は、本願の特許請求の範囲で使用されている言葉を広く一般的な意味に拡張して実施することができる。また、本発明の絆創膏は、大きさ、形状、素材の種類、厚さなどについては多様な実施形態が可能であり、それらについて本実施形態と異なる形態による実施は、本発明の技術的範囲に含まれる。